(57)【要約】【課題】データ発行までの手順を簡略化することができ、通信料も抑えることができる情報発行システム及び情報発行方法を提供する。【解決手段】情報発行システム１００は、ＦｅｌｉＣａチップ１０と、ＦｅｌｉＣａチップ１０が搭載された携帯電話機２０と、ＩＣキャッシュカード３０から口座情報などの会員情報を読み取る読取手段４２１と、読取手段４２１が読み取った情報をＦｅｌｉＣａチップ１０に書き込む書込手段４２２とを備え、携帯アプリダウンロードサーバ６１からダウンロードしたエリア確保用アプリによって、ＦｅｌｉＣａチップ１０に書き込み領域を確保し、ＩＣキャッシュカード３０から読み取った口座情報などの会員情報に基づいて生成された発行データをＦｅｌｉＣａチップ１０の書き込み領域にリーダライタ４２で直接書き込む。【選択図】図１
2007206770.tif 000002
【特許請求の範囲】
【請求項１】
書き込み領域が確保されたＩＣチップと、
前記ＩＣチップが搭載された携帯電話機と、
情報記録媒体から所定の情報を読み取る読取手段と、
前記読取手段が読み取った所定の情報を前記ＩＣチップの書き込み領域に書き込む書込手段と、
を備える情報発行システム。
【請求項２】
請求項１に記載の情報発行システムにおいて、
前記ＩＣチップの書き込み領域は、携帯アプリダウンロンドサーバからダウンロードされたアプリケーションが書込領域管理サーバにアクセスしその応答によって確保されること、
を特徴とする情報発行システム。
【請求項３】
請求項１又は請求項２に記載の情報発行システムにおいて、
前記情報記録媒体の利用者の認証を行う認証手段を備えること、
を特徴とする情報発行システム。
【請求項４】
請求項１から請求項３までのいずれか１項に記載の情報発行システムにおいて、
前記所定の情報に基づいて、発行データを生成する発行データ生成手段を備えること、
を特徴とする情報発行システム。
【請求項５】
携帯電話機に搭載されたＩＣチップの書き込み領域を確保する第１の工程と、
情報記録媒体から所定の情報を読み取り、その所定の情報を前記ＩＣチップの書き込み領域に書き込む第２の工程と、
を備える情報発行方法。
【発明の詳細な説明】
【技術分野】
【０００１】
本発明は、ＩＣチップ搭載型携帯電話機を取り扱う情報発行システム及び情報発行方法に関するものである。
【背景技術】
【０００２】
従来、この種のＩＣチップ搭載型携帯電話機には、モバイルＦｅｌｉＣａ（ＦｅｌｉＣａチップが搭載された携帯電話機；「ＦＥＬＩＣＡ」は登録商標）があり、このモバイルＦｅｌｉＣａにデータを書き込む際には、インターネットデータセンター内にデータ発行用のサーバを準備し、ネットワーク経由でデータの発行処理をしていた（例えば、特許文献１）。
【０００３】
図５は、従来の発行処理の流れを示す図である。なお、以下の括弧内の番号は、図中の丸の番号に対応している。
（１）利用者１は、申込み書２に必要事項を記入し、その申込み書２を持参して、申込みカウンター３に行く。
（２）申込受付者４は、イシュアホスト（ＩＣカード発行／管理ホスト）８０に与信審査の要求を行う。
（３）オペレータ５は、イシュアホスト８０の会員ホスト（会員データベース）８１及び審査ホスト８２を利用して与信審査を行い、与信の確認がとれた場合には、カード製造会社６に発券データを送信する。
【０００４】
（４）カード製造会社６では、発行データ生成システム７によって、台紙用，カード用及びモバイル用の発行データが生成される。生成されたデータのうち、台紙データ及びカードデータは、製造工場８に送信され、モバイルデータは、インターネットデータセンター６０に送信される。
製造工場８では、台紙データ及びカードデータを元に、携帯アプリダウンロードＵＲＬ，ユーザＩＤ及びパスワードを台紙に印字して郵送物が制作されるとともに、キャッシュカードやクレジットカードなどの親カード３０が製造／発行される。
インターネットデータセンター６０では、モバイルデータを元に、書き込み領域（ＦｅｌｉＣａエリア）を確保するための携帯アプリ（以下、エリア確保用アプリという。）及び個人情報などのパーソナライズ情報が準備される。
（５）台紙及び親カード３０は、封入・封緘され、封書によって利用者１に郵送される。
【０００５】
（６）利用者１は、台紙に印字されているＵＲＬに基づいて、携帯アプリダウンロードサーバ６１にアクセスし、モバイルＦｅｌｉＣａ２０にエリア確保用アプリをダウンロードする。
（７）ダウンロードされたエリア確保用アプリは、パーソナライズ情報ダウンロードサーバ６２にアクセスし、パーソナライズ情報をダウンロードする。
（８）ダウンロードされたエリア確保用アプリは、管理サーバ７０にアクセスしＦｅｌｉＣａチップへのリモート発行要求を行い、利用者１のＦｅｌｉＣａ鍵が登録され、その応答によってＦｅｌｉＣａチップに書き込み領域が確保される。なお、管理サーバ７０には、カード製造会社６から事前登録申請データが送信されている。
【０００６】
（９）利用者１は、モバイルＦｅｌｉＣａ２０を持って買い物に行き、買うものが決まったら、レジ端末９に行き、レジ端末９のリーダライタにモバイルＦｅｌｉＣａ２０をかざす。
（１０）レジ端末９は、イシュアホスト８０に与信審査の要求を行い、与信の確認がとれた場合には、支払いを許可する。
（１１）レジ端末９は、モバイルＦｅｌｉＣａ２０の与信枠（利用限度額）をチャージする。
従来は、このような流れで、モバイルＦｅｌｉＣａ２０によるキャッシングが実現していた。
【０００７】
しかし、従来の方法では、サービスの申込みをしてから発行完了までの間に、登録手続きや審査があり、時間が掛かっていた。
また、利用者１に対し発行準備完了の案内や、サーバーアクセス用のＩＤ／パスワードをメールや封書を利用して通知する必要があり、手間となっていた。
さらに、モバイルＦｅｌｉＣａ２０にデータを書き込むためには、その都度、携帯アプリを事前にダウンロードする必要があった。
さらにまた、モバイルＦｅｌｉＣａ２０に書き込むためのデータを生成するシステムを構築する必要があった。
一方、ＦｅｌｉＣａチップには、管理サーバ７０を介さないとデータを書き込むことができないので、管理サーバ７０を介してデータを書き込むことになるが、その際新たな通信料が発生してしまい、利用者１にとっては負担となっていた。
【特許文献１】特開２００４−１０２６９８号公報
【発明の開示】
【発明が解決しようとする課題】
【０００８】
本発明の課題は、データ発行までの手順を簡略化することができ、通信料も抑えることができる情報発行システム及び情報発行方法を提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、書き込み領域が確保されたＩＣチップ（１０）と、前記ＩＣチップ（１０）が搭載された携帯電話機（２０）と、情報記録媒体（３０）から所定の情報を読み取る読取手段（４２１）と、前記読取手段（４２１）が読み取った所定の情報を前記ＩＣチップ（１０）の書き込み領域に書き込む書込手段（４２２）と、を備える情報発行システム（１００）である。
請求項２の発明は、請求項１に記載の情報発行システム（１００）において、前記ＩＣチップ（１０）の書き込み領域は、携帯アプリダウンロンドサーバ（６１）からダウンロードされたアプリケーションが書込領域管理サーバ（７０）にアクセスしその応答によって確保されること、を特徴とする情報発行システム（１００）である。
請求項３の発明は、請求項１又は請求項２に記載の情報発行システム（１００）において、前記情報記録媒体（３０）の利用者の認証を行う認証手段（４１）を備えること、を特徴とする情報発行システム（１００）である。
請求項４の発明は、請求項１から請求項３までのいずれか１項に記載の情報発行システム（１００）において、前記所定の情報に基づいて、発行データを生成する発行データ生成手段を備えること、を特徴とする情報発行システム（１００）である。
請求項５の発明は、携帯電話機（２０）に搭載されたＩＣチップ（１０）の書き込み領域を確保する第１の工程と、情報記録媒体（３０）から所定の情報を読み取り、その所定の情報を前記ＩＣチップ（１０）の書き込み領域に書き込む第２の工程と、を備える情報発行方法である。
【発明の効果】
【００１０】
本発明によれば、書き込み領域が確保されたＩＣチップに、情報記録媒体から読み取った所定の情報を直接書き込むので、データ発行時には、管理サーバなどを経由する必要がなく、発行手順を簡略化することができる。
また、データ発行時には、管理サーバなどを経由しないので、利用者にとっては、通信料がかからないメリットがある。
一方、携帯電話機に搭載されたＩＣチップの書き込み領域を確保し、情報記録媒体から読み取った所定の情報を書き込み領域に書き込むので、一旦、書き込みエリアを確保した後には、管理サーバなどに接続する必要がなく、サービスの申込みから発行までの処理が簡略化される。
【発明を実施するための最良の形態】
【００１１】
本発明は、データ発行までの手順を簡略化することができ、通信料も抑えることができる情報発行システム及び情報発行方法を提供するという目的を、管理サーバを経由してＦｅｌｉｃａチップの書き込み領域を確保し、その書き込み領域に口座情報などを含む発行データをリーダライタで直接書き込むことにより実現する。
【実施例１】
【００１２】
以下、図面等を参照して、本発明の実施例について、さらに詳しく説明する。
図１は、本発明による情報発行システムの実施例１を示す図である。
なお、前述した従来例と同様な機能を果たす部分には、同一の符号又は末尾に統一した符号を付して、重複する説明や図面を適宜省略する。
実施例１の情報発行システム１００は、ＦｅｌｉＣａチップ１０と、携帯電話機２０と、ＩＣキャッシュカード（親カード）３０と、ＡＴＭ４０と、ネットワーク５０と、インターネットデータセンター６０と、管理サーバ（書込領域管理サーバ）７０などとを備える。
【００１３】
ＦｅｌｉＣａチップ１０は、ＣＰＵ，メモリ及び通信手段を有するＩＣチップが搭載されたＩＣカードである。
ＦｅｌｉＣａチップ１０のメモリは、後述するサービス初期登録によって、書き込み領域が確保される。具体的には、書き込み領域は、携帯アプリダウンロードサーバ６１から携帯電話機２０にダウンロードしたエリア確保用アプリが、管理サーバ７０にアクセスしその応答によって確保される。
携帯電話機２０は、ＦｅｌｉＣａチップ１０を搭載可能な電話機であり、ＦｅｌｉＣａチップ１０が搭載されるとモバイルＦｅｌｉＣａとなる。なお、携帯電話機は、あらかじめＦｅｌｉＣａチップが内蔵されているものであってもよい。
ＩＣキャッシュカード３０は、ＡＴＭ４０を利用するための情報記録媒体であり、会員情報（所定の情報；口座番号を含む口座情報、支店番号、銀行番号など）が記憶されている。
【００１４】
ＡＴＭ４０は、銀行などに配置された現金自動預け入れ支払い機であり、認証手段４１と、リーダライタ（ＩＣカードＲ／Ｗ）４２とを備える。
認証手段４１は、ＩＣキャッシュカード３０の利用者の本人確認を行うものであり、例えば、指紋などのパターンを読み取り、予め登録してあるデータと照合して本人確認を行う生体認証システムなどである。
リーダライタ４２は、ＦｅｌｉＣａチップ１０と非接触で通信を行い、データの読み込み及び書き込みを行う装置であり、ＩＣキャッシュカード３０から会員情報を読み取る読取手段４２１と、読取手段４２１が読み取った会員情報をＦｅｌｉＣａチップ１０の書き込み領域に書き込む書込手段４２２とを備える。
【００１５】
ネットワーク５０は、インターネットなどの通信網であり、携帯電話機２０，インターネットデータセンター６０及び管理サーバ７０を相互に接続している。
インターネットデータセンター６０は、各種データを集中管理する部分であり、エリア確保用アプリが格納されている携帯アプリダウンロードサーバ６１と、パーソナライズ情報が格納されているパーソナライズ情報ダウンロードサーバ６２とを備える。
管理サーバ７０は、ＦｅｌｉＣａチップ１０の使用状況などを管理するサーバである。
【００１６】
次に、情報発行システム１００の動作を説明する。
図２は、情報発行システム１００の動作のうちサービス初期登録の動作を説明する図である。
まず、利用者が申込みを行うと、サービス提供者のイシュアホスト８０からインターネットデータセンター６０に申込み情報が送信され、発行情報（キャッシュカード番号など）が生成される（＃１）。
ついで、利用者は、携帯電話機２０を操作して、携帯アプリダウンロードサーバ６１に接続し、エリア確保用アプリをダウンロードする（＃２）。なお、携帯アプリダウンロードサーバ６１のＵＲＬ，ユーザＩＤ及びパスワードは、従来と同様に、申込み後に封書やメールで通知されている。
【００１７】
さらに、ダウンロードしたエリア確保用アプリが、パーソナライズ情報ダウンロードサーバ６２にユーザＩＤ及びパスワードを送信する（＃３）。
ユーザ認証に成功した場合には、携帯電話機２０のエリア確保用アプリに発行情報が送信される（＃４）。
【００１８】
そして、エリア確保用アプリが管理サーバ（Ｆｅｌｉｃサーバ）７０にアクセスし、その応答によってＦｅｌｉＣａチップ１０に書き込み領域（フリー領域）が確保される（＃６）。
利用者は、ＦｅｌｉＣａチップ１０内の情報を閲覧することができる（＃７）。
この流れで、キャッシングサービスを利用するために必要な領域を確保するサービス初期登録（エリア発行）は完了する［携帯電話機２０に搭載されたＦｅｌｉＣａチップ１０の書き込み領域を確保する第１の工程］。
利用者は、サービス初期登録が完了した携帯電話機２０を銀行の店舗に持参する。
【００１９】
図３は、情報発行システム１００の動作のうち情報発行の動作を説明する図である。
図３（Ａ）に示すように、携帯電話機２０のＦｅｌｉＣａチップ１０は、図２で説明した動作によって、書き込み領域が確保されており、その書き込み領域は、３つの領域（ポケットＡ、ポケットＢ、ポケットＣ）に区画されている。
まず、図３（Ｂ）に示すように、利用者は、ＡＴＭ４０にＩＣキャッシュカード３０を挿入し、認証手段４１で本人確認を行う。
ＡＴＭ４０は、ＩＣキャッシュカード３０から口座情報などの会員情報を読み出し、生体情報を利用して本人確認を行い、本人確認に成功した場合には、ＩＣキャッシュカード３０から取得した情報を元に、ＦｅｌｉＣａチップ１０に書き込むための発行データ（会員情報、子カード情報、子カード番号などを含むデータ）を生成する（発行データ生成手段）。
そして、利用者がＡＴＭ４０のリーダライタに携帯電話機２０をかざすと、書き込み領域のポケットＡに発行データが書き込まれ、サービスの登録が完了する［ＩＣキャッシュカード３０から口座情報などの会員情報を読み取り、その会員情報を含む発行データをＦｅｌｉＣａチップ１０の書き込み領域に書き込む第２の工程］。
この流れで、利用者は、携帯電話機２０によるキャッシングが行えるようになる。
【００２０】
このように、実施例１の情報発行システム１００によれば、以下のような効果がある。
（１）書き込みエリアを確保した後には、インターネットデータセンター６０や管理サーバ７０に接続する必要がなく、サービスの申込みから発行までの処理や手順を簡略化することができる。
（２）データ発行時には、ネットワークを経由しないオフラインのデータ発行が可能となり、利用者にとっては通信料がかからないメリットがある。
（３）データ発行時には、リーダライタ４２を利用するため、データ発行用のサーバー（データセンター）が不要となる。
（４）データ発行時には、認証手段４１によって認証を行うので、本人確認を行うためのユーザＩＤやパスワードなどの通知が不要になる。
【実施例２】
【００２１】
図４は、本発明による情報発行システムの実施例２を示す図である。
なお、前述した実施例１と同様な機能を果たす部分には、同一の符号又は末尾に統一した符号を付して、重複する説明や図面を適宜省略する。
実施例２の情報発行システム１００−２は、ＩＣキャッシュカード３０ではなく、ＩＣクレジットカード３０−２を取り扱うものである。
また、実施例２の情報発行システム１００−２は、認証手段４１−２が、実施例１の生体認証システムから、ネットワーク接続された与信審査システムに変更されている。なお、認証手段４１−２のイシュアホスト８０とインターネットデータセンター６０とは、共通化（一体化）したシステムとしてもよい。
【００２２】
まず、図４（Ａ）に示すように、サービス初期登録を行い（実施例１と同様）、ＦｅｌｉＣａチップ１０の書き込み領域を確保する。
ついで、図４（Ｂ）に示すように、利用者は、ＣＡＴ端末（ｃｒｅｄｉｔ  ａｕｔｈｏｒｉｚａｔｉｏｎ  ｔｅｒｍｉｎａｌ；クレジット−カードの信用情報照会端末機）４０−２が設置されている店舗に行き、ＣＡＴ端末４０−２にＩＣクレジットカード３０−２を挿入する。
ＣＡＴ端末４０−２は、クレジット番号を含むクレジット情報を読み出し、そのクレジット情報をネットワークを介してイシュアホスト８０に送信する。
イシュアホスト８０では、会員データベース８１を用いて本人確認を行い、本人確認に成功した場合には、クレジット情報に基づいて子カード情報を生成し、その子カード情報をインターネットデータセンター６０に送信する。
インターネットデータセンター６０では、子カード情報に基づいて発行データを生成し（発行データ生成手段）、その発行データをネットワークを介して店舗のライタ４２−２に送信する。
利用者がライタ４２−２に携帯電話機２０をかざすと、書き込み領域のポケットＡに発行データが書き込まれ、サービスの登録が完了する。
【００２３】
このように、実施例２の情報発行システム１００−２によれば、実施例１の効果に加えて、各店舗に本人認証のシステムが備わっていない場合であっても、本システムを適用することができる、という効果がある。
【００２４】
（変形例）
以上説明した実施例に限定されることなく、種々の変形や変更が可能であって、それらも本発明の均等の範囲内である。
（１）情報記録媒体は、ＩＣカードを用いたキャッシュカードやクレジットカードの例で説明したが、磁気式のカードであってもよい。この場合は、読取手段を磁気読取式のものに変更する。
【００２５】
（２）実施例１においては、ＡＴＭ４０で、実施例２においては、インターネットデータセンター６０で、発行データを生成する例で説明したが、発行データ生成手段を有する専用サーバを別途設置してもよい。
【図面の簡単な説明】
【００２６】
【図１】本発明による情報発行システムの実施例１を示す図である。
【図２】情報発行システム１００の動作のうちサービス初期登録の動作を説明する図である。
【図３】情報発行システム１００の動作のうち情報発行の動作を説明する図である。
【図４】本発明による情報発行システムの実施例２を示す図である。
【図５】従来の発行処理の流れを示す図である。
【符号の説明】
【００２７】
１０  ＦｅｌｉＣａチップ（ＩＣチップ）
２０  携帯電話機
３０  ＩＣキャッシュカード（情報記録媒体）
３０−２  ＩＣクレジットカード（情報記録媒体）
３１  ＩＣチップ（媒体用ＩＣチップ）
４０  ＡＴＭ
４０−２  ＣＡＴ端末
４１、４１−２  認証手段
４２  リーダライタ
４２１  読取手段
４２２  書込手段
４２−２  ライタ
５０  ネットワーク
６０  インターネットデータセンター
６１  携帯アプリダウンロードサーバ
６２  パーソナライズ情報ダウンロードサーバ
７０  管理サーバ（書込領域管理サーバ）
８０  イシュアホスト
８１  会員データベース
１００，１００−２  情報発行システム
【図１】
2007206770.tif 000003
【図２】
2007206770.tif 000004
【図３】
2007206770.tif 000005
【図４】
2007206770.tif 000006
【図５】
2007206770.tif 000007